(57)【特許請求の範囲】
【請求項１】
グルーブとランドの両方に情報信号の記録がなされた光磁気記録媒体から情報信号を再生する再生装置であって、
上記光磁気記録媒体に光ビームを照射する光源と、
上記光源と上記光磁気記録媒体の間の光軸上に配され、上記光源からの光ビームを偏光状態の異なる２つの光ビームに分離する偏光ビームスプリッタと、
上記光ビームの上記光磁気記録媒体からの戻り光の光軸上に配され、戻り光の位相差を変化させる位相子とを備え、
上記位相子による位相差の変化量が、上記光磁気記録媒体の上記ランドからの戻り光と、上記グルーブからの戻り光とで異なるように設定されるようにし、
上記偏光ビームスプリッタによって分離された光ビームのうち、一方の光ビームによってグルーブに記録された情報信号を再生し、他方の光ビームによってランドに記録された情報信号を再生することを特徴とする再生装置。
【請求項２】
上記記録媒体に照射される光ビームの波長をλとし、ｎを０以上の整数としたとき、上記グルーブの光学的深さｄが、（１／１２＋ｎ／２）λ≦ｄ≦（１／６＋ｎ／２）λ、又は｛−１／６＋（ｎ＋１）／２｝λ≦ｄ≦｛−１／１２＋（ｎ＋１）／２｝λの範囲内であることを特徴とする請求項１記載の再生装置。
【請求項３】
上記偏光ビームスプリッタは、ウォラストンプリズムからなることを特徴とする請求項１記載の再生装置。
【請求項４】
グルーブとランドの両方に情報信号の記録がなされた光磁気記録媒体から情報信号を再生する再生装置の再生方法であって、
上記光磁気記録媒体に光ビームを照射し、
上記光源と上記光磁気記録媒体の間の光軸上に配された偏光ビームスプリッタによって上記光源からの光ビームを偏光状態の異なる２つの光ビームに分離し、
上記光ビームの上記光磁気記録媒体からの戻り光の光軸上に配された位相子によって、位相差の変化量が上記光磁気記録媒体の上記ランドからの戻り光と上記グルーブからの戻り光とで異なるようにし、
上記偏光ビームスプリッタによって分離された光ビームのうち、一方の光ビームによってグルーブに記録された情報信号を再生し、他方の光ビームによってランドに記録された情報信号を再生する再生方法。
【発明の詳細な説明】
【０００１】
【発明の属する技術分野】
本発明は、ランドとグルーブの両方に情報信号が記録された光磁気記録媒体の再生装置及び再生方法に関する。
【０００２】
【従来の技術】
円盤状の光磁気記録媒体である光磁気ディスクには、光磁気ディスクに照射される光ビームをガイドするための溝であるグルーブが、同心円状又は渦巻状に形成されている。そして、光磁気ディスクに光ビームを照射して記録再生を行う際には、グルーブからの反射光に基づいて、光ビームのトラッキング制御が行われる。
【０００３】
従来、このような光磁気ディスクでは、グルーブの部分には情報信号を記録せずに、グルーブ間の領域であるランドに情報信号を記録するようにしていた。これに対して、近年、記録密度の増大を図るために、グルーブとランドの両方に情報信号を記録し、これにより、記録エリアを広く確保するようにした光磁気ディスクが提案されている。
【０００４】
このように、ランドとグルーブの両方に情報信号を記録する光磁気ディスクでは、隣接するグルーブとランドが共に記録トラックとなるので、隣接するトラックからの信号の漏れ込み、すなわちクロストークが発生しやすい。しかし、ランドとグルーブの幅をほぼ等しくし、グルーブの光学的深さｄをλ／６付近に設定し、光磁気ディスク中の光磁気記録膜による磁気光学効果のカー楕円率をほぼ０°とすることにより、クロストークが低減され、狭いトラック間隔での信号再生が可能となる。
【０００５】
ここで、トラック間隔をパラメータとして、クロストークとグルーブの深さとの関係を図１７に示す。なお、図１７において、光磁気ディスクに照射するレーザ光の波長λは６９０ｎｍとし、光磁気記録媒体に光ビームを集光する対物レンズの開口数ＮＡは０．５５としており、このとき、λ／６に相当するグルーブ深さは、約７７ｎｍである。
【０００６】
この図１７から分かるように、クロストークは、グルーブの光学的深さｄがλ／６付近のときに最小値となるが、トラック間隔がより狭いときには、グルーブ深さがより深いときに最小値をとる傾向がある。すなわち、記録密度を増大させるためにトラック間隔を狭くしたとき、クロストークを低減するためには、グルーブ深さをより深くする必要がある。
【０００７】
また、図１８に、トラック間隔が０．５μｍのとき、トラックからの再生信号レベルとグルーブ深さとの関係を示す。この図１８に示すように、トラックからの再生信号レベルは、グルーブが深くなるにつれて減少し、λ／４で最小となる。しかも、トラックからの再生信号は、グルーブが深くなるにつれて、周波数特性も劣化してしまう。したがって、より高いレベルの再生信号を得るという観点からは、グルーブ深さは浅い方が好ましい。
【０００８】
【発明が解決しようとする課題】
図１７に示したように、トラック間隔を狭くしたときには、クロストークを低減するために、グルーブ深さを深くしなければならない。しかしながら、図１８に示したように、トラック間隔が狭いとき、グルーブ深さを深くすると、再生信号レベルが低下してしまう。
【０００９】
このため、従来は、グルーブとランドの両方に情報信号を記録するようにしても、トラック間隔を狭くすることができず、記録密度の大幅な向上を実現することは出来なかった。
【００１０】
本発明は、このような従来の実情に鑑みて提案されたものであり、ランドとグルーブの両方に情報信号の記録がなされる光磁気記録媒体のトラック間隔をより狭くしても、クロストークが少なく、良好な再生信号を得ることが出来る再生装置及び再生方法を提供することを目的としている。
【００１１】
【課題を解決するための手段】
【００１３】
【００１４】
【００１５】
【００１６】
【００１７】
本発明に係る再生装置は、グルーブとランドの両方に情報信号の記録がなされた光磁気記録媒体から情報信号を再生する再生装置であって、上記光磁気記録媒体に光ビームを照射する光源と、上記光源と上記光磁気記録媒体の間の光軸上に配され、上記光源からの光ビームを偏光状態の異なる２つの光ビームに分離する偏光ビームスプリッタと、上記光ビームの上記光磁気記録媒体からの戻り光の光軸上に配され、戻り光の位相差を変化させる位相子とを備える。そして、上記位相子による位相差の変化量が、上記記録媒体の上記ランドからの戻り光と、上記グルーブからの戻り光とで異なるように設定されるようにし、上記偏光ビームスプリッタによって分離された光ビームのうち、一方の光ビームによってグルーブに記録された情報信号を再生し、他方の光ビームによってランドに記録された情報信号を再生する。また、本発明に係る再生方法は、以上のような再生装置によって行われる。
【００１８】
この再生装置では、光源から出射された光ビームを、偏光ビームスプリッタで偏光状態の異なる２つのレーザ光に分離した上で、光磁気記録媒体に照射する。したがって、この再生装置では、ランドに入射する光ビームの偏光状態と、グルーブに入射する光ビームの偏光状態とが異なるものとなるので、偏光状態に応じて位相差を変化させる位相子を戻り光の光軸上に配することにより、グルーブからの戻り光の位相差と、ランドからの戻り光の位相差とを、それぞれ制御することができる。そして、このように戻り光の位相差を制御することにより、クロストークが少なく、しかも高いレベルの再生信号を光磁気記録媒体から得ることが可能となる。
【００１９】
また、本発明は、照射される光ビームの波長をλとし、ｎを０以上の整数としたとき、光学的深さｄが、（１／１２＋ｎ／２）λ≦ｄ≦（１／６＋ｎ／２）λ、又は｛−１／６＋（ｎ＋１）／２｝λ≦ｄ≦｛−１／１２＋（ｎ＋１）／２｝λとされたグルーブが形成され、上記グルーブと、上記グルーブ間の領域であるランドとの両方の領域に情報信号が記録された光磁気記録媒体に光ビームを照射し、上記光ビームの光磁気記録媒体からの戻り光を検出することによって、光磁気記録媒体に記録された情報信号を再生することを特徴とするものである。
【００２０】
【００２１】
【発明の実施の形態】
以下、本発明を適用した具体的な実施の形態について、本発明に用いられる光磁気記録媒体として円盤状の記録媒体である光磁気ディスクを例に挙げて、図面を参照しながら詳細に説明する。
【００２２】
なお、本発明は以下の例に限定されるものではなく、本発明の要旨を逸脱しない範囲で、任意に変更可能であることは言うまでもない。例えば、本発明に用いられる光磁気記録媒体は、ランドとグルーブの両方に情報信号の記録がなされるものであれば、円盤状の記録媒体である光磁気ディスクでなくてもよい。
【００２３】
図１に示すように、本発明に係る再生装置及び再生方法に用いられる光磁気ディスク１は、光透過性を有するディスク基板２と、ディスク基板２上に形成された光磁気記録膜３と、光磁気記録膜２上に形成された保護膜３とを有する。
【００２４】
上記ディスク基板２は、ポリカーボネートやＰＭＭＡ等の合成樹脂材料を用いて円盤状に形成されており、一方の面に同心円状又は渦巻状のグルーブ５が形成されている。ここで、グルーブ５は、記録再生時に光磁気ディスク１に照射される光ビームのトラッキング制御を行うための溝である。そして、グルーブ５間の領域はランド６と呼ばれる領域であり、グルーブ５の幅とランド６の幅とは、ほぼ等しくなるように形成されている。
【００２５】
この光磁気ディスク１において、情報信号は、グルーブ５とランド６の両方に記録される。すなわち、この光磁気ディスク１では、図２に示すように、グルーブ５と、グルーブ５間の領域であるランド６との両方の領域に、情報信号を示す記録マーク７が書き込まれる。
【００２６】
グルーブ５が形成されたディスク基板２上に形成された光磁気記録膜３は、グルーブ５が形成された側の面上に、蒸着やスパッタリング等の手法によって、複数の薄膜が積層されてなる。具体的には例えば、光磁気記録膜３は、図３に示すように、ディスク基板２上に、ＳｉＮからなる第１の薄膜３ａと、ＴｂＦｅＣｏ等のような垂直磁気記録材料からなる第２の薄膜３ｂと、ＳｉＮからなる第３の薄膜３ｃと、Ａｌ等のような高反射率を有する材料からなる第４の薄膜３ｄとが、この順に積層されてなる。
【００２７】
そして、この光磁気記録膜３上に形成された保護膜４は、光磁気記録膜３を保護するためのものであり、紫外線硬化樹脂等の合成樹脂材料が、光磁気記録膜３を覆うように形成されてなる。
【００２８】
この光磁気ディスク１に対して情報信号を記録するときは、保護膜４の側から光磁気記録膜３に磁界を印加するとともに、ディスク基板２の側から光磁気記録膜３に光ビームを照射する。これにより、情報信号は、光磁気記録膜３の磁化の状態として記録される。
【００２９】
そして、光磁気ディスク１に記録された情報信号を再生するときには、ディスク基板２の側から光磁気記録膜３に光ビームを照射し、当該光ビームの戻り光を検出する。このとき、カー効果により、光磁気記録膜３の磁化状態に依存して、戻り光の偏光面が回転する。そこで、この偏光面の回転を検出することにより、光磁気記録膜３の磁化状態が検出され、これにより、光磁気記録膜３の磁化状態として記録された情報信号が読み出されることとなる。
【００３０】
以上のような構成を有する光磁気ディスク１について、再生信号の特性と、グルーブ５の深さｄ０との関係について説明する。
【００３１】
図１７に示したように、クロストークは、トラック間隔Ｔｐ、すなわちグルーブ５の中心とランド６の中心との間隔が狭いときには、グルーブ５の深さｄ０が深いときに最小値をとる傾向がある。なお、ここでは、光磁気記録膜３によるカー楕円率はほぼ０であるものとしており、このとき、グルーブ５に記録された情報信号を再生するグルーブ再生時のクロストーク特性と、ランド６に記録された情報信号を再生するランド再生時のクロストーク特性とは、ほぼ一致する。
【００３２】
図１７において、例えばトラック間隔Ｔｐが０．５μｍのときに注目すると、グルーブ深さｄ０が約９０μｍのとき、クロストークは最小値をとることが分かる。しかしながら、図１８に示したように、トラック間隔Ｔｐが０．５μｍでグルーブ深さｄ０が約９０μｍのとき、再生信号レベルはかなり小さくなってしまう。このため、従来は、グルーブとランドの両方に情報信号の記録がなされる光磁気ディスクでは、トラック間隔Ｔｐを狭めることが難しく、記録密度の向上を図ることが出来なかった。
【００３３】
ところで、クロストークの振る舞いは、図４に示すように、光磁気ディスク１からの戻り光の位相差によって変化する。ここで、図４は、ランド６に記録された情報信号を再生するとき、ランド６からの戻り光の位相差をパラメータとして、グルーブ深さｄ０と、クロストークとの関係を示している。
【００３４】
この図４に示すように、ランド６からの戻り光の位相差を大きくすることにより、グルーブ深さｄ０がより浅いときにクロストークが最小となる。具体的には例えば、ランド６からの戻り光に５０ｄｅｇの位相差を与えることにより、クロストークが最小値となるグルーブ深さｄ０は約４５ｎｍとなる。
【００３５】
また、図５に、戻り光の位相差を変化させたときに、クロストークが最小となるグルーブ深さｄ０に対する再生信号レベルを、種々のトラック間隔Ｔｐに対して示す。なお、図５において、光磁気ディスク１に照射する光ビームの波長λは６９０ｎｍとし、当該光ビームを光磁気ディスク１上に集光する対物レンズの開口数ＮＡは０．５５としている。
【００３６】
そして、図５では、クロストークが最小となるときのグルーブ深さｄ０と、そのときの再生信号レベルについて、トラック間隔Ｔｐが０．４μｍでランド６からの戻り光に０ｄｅｇ、３０ｄｅｇ、４０ｄｅｇ、５０ｄｅｇ又は６０ｄｅｇの位相差を与えたとき、また、トラック間隔Ｔｐが０．５μｍでランド６からの戻り光に０ｄｅｇ、３０ｄｅｇ、４０ｄｅｇ、５０ｄｅｇ又は６０ｄｅｇの位相差を与えたとき、また、トラック間隔Ｔｐが０．６μｍでランド６からの戻り光に０ｄｅｇ、２０ｄｅｇ、３０ｄｅｇ、４０ｄｅｇ、５０ｄｅｇ又は６０ｄｅｇの位相差を与えたとき、また、トラック間隔Ｔｐが０．７μｍでランド６からの戻り光に０ｄｅｇ、１０ｄｅｇ、２０ｄｅｇ、３０ｄｅｇ、４０ｄｅｇ又は５０ｄｅｇの位相差を与えたとき、また、トラック間隔Ｔｐが０．８μｍでランド６からの戻り光に０ｄｅｇ、１０ｄｅｇ、２０ｄｅｇ又は３０ｄｅｇの位相差を与えたときについて、それぞれ示している。
【００３７】
この図５から分かるように、グルーブ深さｄ０を適当な値とし、戻り光に適当な位相差を与えることにより、クロストークを抑えつつ、再生信号レベルを向上することができる。具体的には、グルーブ６の物理的な深さｄ０にディスク基板２の屈折率の値を乗じた光学的深さｄを用いて示すと、グルーブ６の光学的深さｄをλ／１２≦ｄ≦λ／６の範囲内、より好ましくはλ／１２≦ｄ≦λ／８の範囲内とし、戻り光に適当な位相差を与えることにより、クロストークを抑えつつ、再生信号レベルを向上することができる。
【００３８】
具体的には、例えば、トラック間隔Ｔｐが０．５μｍのとき、グルーブ深さｄ０をクロストークが最小となるように設定すると、戻り光に４０〜５０ｄｅｇの位相差を与えたときに、再生信号レベルが極大値を持つことが分かる。そして、このときの再生信号レベルは、戻り光の位相差が０ｄｅｇでクロストークが最小となるとき、すなわちグルーブ深さｄ０が９０ｎｍのときに比べて、約２倍となっている。
【００３９】
ところで、一般に、光磁気ディスク１からの再生信号特性は、グルーブ５の光学的深さｄに対して周期的に変化する。例として、図６に典型的な再生信号レベルとクロストークの特性を示す。このように、一般に光磁気ディスクの再生信号特性は、グルーブ５の光学的深さｄ＝λ／４を境に対称性があり、λ／２の周期を持っている。したがって、上述したグルーブ５の光学的深さｄについてのλ／１２≦ｄ≦λ／６という条件は、ｎを０以上の整数とすると、（１／１２＋ｎ／２）λ≦ｄ≦（１／６＋ｎ／２）λ、又は｛−１／６＋（ｎ＋１）／２｝λ≦ｄ≦｛−１／１２＋（ｎ＋１）／２｝λという条件に拡張され、同様に、λ／１２≦ｄ≦λ／８という条件は、（１／１２＋ｎ／２）λ≦ｄ≦（１／８＋ｎ／２）λ、又は｛−１／８＋（ｎ＋１）／２｝λ≦ｄ≦｛−１／１２＋（ｎ＋１）／２｝λという条件に拡張される。
【００４０】
なお、図５から分かるように、トラック間隔Ｔｐが広がると、戻り光に位相差を付与することによる再生信号レベルの改善効果は少なくなる。具体的には、戻り光に位相差を付与することによる再生信号レベルの改善効果は、トラック間隔Ｔｐが０．８μｍ以下のときには大きいが、トラック間隔Ｔｐが０．８μｍを越えるようなときには、あまり期待できない。ここで、トラック間隔Ｔｐが０．８μｍ以下という条件を、光ビームの波長λと、対物レンズの開口数ＮＡを用いて一般化すると、λ＝６９０ｎｍ、ＮＡ＝０．５５であるので、０．６４λ／ＮＡ以下となる。すなわち、特に、トラック間隔が０．６４λ／ＮＡ以下のときに、戻り光に位相差を付与することによる再生信号レベルの改善効果がより顕著に得られる。
【００４１】
以上の説明では、ランド６に記録された情報信号を再生するときを例に挙げたが、グルーブ５に記録された情報信号を再生するときのクロストークや再生信号レベルの振る舞いも、位相差を逆にすればランド再生時と同様となる。すなわち、グルーブ再生時のクロストークや再生信号レベルの振る舞いは、戻り光に付与する位相差を等量異符号とすれば、ランド再生時と等価になる。
【００４２】
したがって、グルーブ再生時にも、グルーブ５の光学的深さｄを、（１／１２＋ｎ／２）λ≦ｄ≦（１／６＋ｎ／２）λ、又は｛−１／６＋（ｎ＋１）／２｝λ≦ｄ≦｛−１／１２＋（ｎ＋１）／２｝λの範囲内にして、戻り光に適当な負の位相差を与えることにより、クロストークを抑えつつ、再生信号レベルを向上することができる。
【００４３】
なお、光磁気記録膜３のカー楕円率が有限の値を持つときは、図７に示すように、クロストークのグルーブ深さｄ０に対する依存性は、ランド再生時とグルーブ再生時とで一致しなくなる。このときは、ランド再生時のクロストークの最小値と、グルーブ再生時のクロストークの最小値とが、同じグルーブ深さｄ０において一致するように、グルーブ５からの戻り光と、ランド６からの戻り光とで、絶対値の異なる位相差を与えるようにすればよい。これにより、光磁気記録膜３のカー楕円率が有限の値を持っていても、ランド再生時のクロストークと、グルーブ再生時のクロストークとの両方を抑えることが可能である。
【００４４】
以上の説明から明らかなように、ランドとグルーブの両方に情報信号の記録がなされる光磁気ディスクにおいて、グルーブ深さｄ０を適切に設定し、ランド再生時とグルーブ再生時でそれぞれ異なる位相差を与えて信号を検出することにより、高い再生信号レベルと、低いクロストークを同時に実現することができ、高トラック密度での記録再生が可能となる。
【００４５】
また、再生信号の周波数特性は、戻り光に付与される位相差の大きさに依存して変化する。図８に、戻り光に付与する位相差をパラメータとして、記録マーク長に対する再生信号レベルを示す。なお、図８において、トラック間隔Ｔｐは０．５μｍとしており、再生信号レベルはマーク長２μｍ相当のときの値で規格化している。この図８から分かるように、戻り光に位相差を付与することにより、再生信号の周波数特性が向上する。
【００４６】
また、光磁気ディスク１の傾きに起因するクロストークは、戻り光に付与される位相差の大きさに依存して変化する。図９に、光磁気ディスク１に照射される光ビームの光軸に対する光磁気ディスク１の記録面の傾き角度と、クロストークとの関係を示す。なお、図９において、光磁気ディスク１に照射される光ビームの波長λは６９０ｎｍとし、当該光ビームを光磁気ディスク１上に集光する対物レンズの開口数ＮＡは０．５５とし、トラック間隔Ｔｐは０．５μｍとしている。この図９から分かるように、戻り光に位相差を付与することにより、光磁気ディスクの傾きに起因するクロストークを抑えることが出来る。
【００４７】
また、グルーブ５とランド６の両方に対して情報信号の記録再生を行うとき、フォーカスサーボ方式に非点収差法を用いると、グルーブ５に対して記録再生を行うときと、ランド６に対して記録再生を行うときとで、フォーカス誤差信号にオフセットが生じる。そして、このオフセットは、グルーブ５の光学的深さｄが（１／６＋ｎ／２）λ、又は｛−１／６＋（ｎ＋１）／２｝λの付近のときに最大となる。しかし、本発明を適用したときには、戻り光の位相差を制御することにより、グルーブ５の光学的深さｄを浅くすることができるので、このようなオフセットを低減することができる。
【００４８】
つぎに、上述のように、光磁気ディスク１からの戻り光に位相差を与えた上で、光磁気ディスク１からの戻り光を検出して、情報信号の再生を行う再生装置の参考例について説明する。なお、以下に説明する再生装置は、戻り光に位相差を付与するための手段を備えている以外は、従来の再生装置と同様な構成である。
【００４９】
参考例となる再生装置は、図１０に示すように、所定の波長の光ビームを出射する半導体レーザ等から構成された光源１１と、光源１１からの光ビームを平行光とするコリメータレンズ１２と、光源１１からの光ビームと光磁気ディスク１からの戻り光とを分離するビームスプリッタ１３と、光源１１からの光ビームを光磁気ディスク１上に集光する対物レンズ１４とを備えている。
【００５０】
また、この再生装置は、光磁気ディスク１からの戻り光の位相差を変化させる位相子１５と、光磁気ディスク１からの戻り光にλ／２の位相差を付与する１／２波長板１６と、１／２波長板１６を透過してきた戻り光をＰ偏光成分とＳ偏光成分とに分離する偏光ビームスプリッタ１７と、偏光ビームスプリッタ１７によって分離された偏光成分のうちの一方を集光する第１の集光レンズ１８と、第１の集光レンズ１８によって集光された偏光を検出する第１の光検出器１９と、偏光ビームスプリッタ１７によって分離された偏光成分のうちの他方を集光する第２の集光レンズ２０と、第２の集光レンズ２０によって集光された偏光を検出する第２の光検出器２１とを備えている。
【００５１】
上記位相子１５は、光磁気ディスク１からの戻り光の位相差を制御する光学素子であり、光磁気ディスク１からの戻り光の光軸上に配されている。ここで、位相子１５による位相差の変化量は、光磁気ディスクのグルーブ５からの戻り光と、ランド６からの戻り光とで異なるものとする。そして、光磁気ディスク１からの戻り光は、位相子１５によって所定の位相差が付与された上で、第１の光検出器１９及び第２の光検出器２１によって検出され、これにより情報信号の再生がなされる。
【００５２】
上記位相子１５は、例えば、図１１に示すように、透過する光の位相差を印加する電圧によって変化させることができる可変位相子１５ａを備えて構成される。このような可変位相子１５ａとしては、具体的には、液晶や電気光学結晶を用いた位相変調器等を使用することが出来る。
【００５３】
このような可変位相子１５ａを用いる場合、ランド６からの戻り光に付与すべき位相差がΔで、グルーブ５からの戻り光に付与すべき位相差が−Δのとき、負の位相差−Δについては、３６０ｄｅｇ−Δの正の位相差を付与するようにすればよい。
【００５４】
なお、可変位相子１５ａのダイナミックレンジが３６０ｄｅｇ以下のときには、正負の位相差を作り出すために、図１１に示すように、固定の位相子である波長板１５ｂを併用する。すなわち、例えば、波長板１５ｂによる位相差をΔとし、可変位相子１５ａによって戻り光に付与する位相差をグルーブ再生時には０として、ランド再生時には２Δとすることにより、ランド６からの戻り光の位相差をΔとし、グルーブ５からの戻り光の位相差を−Δとすることができる。
【００５５】
なお、このように戻り光の位相差を制御する際は、再生される信号の品質、例えば再生信号のゆらぎ等を観測しながら適当な位相差を可変位相子１５ａによって与えるようにして、戻り光の位相差を自動的に制御することも可能である。
【００５６】
また、上記位相子１５は、例えば、図１２に示すように、印加される電圧によって旋光量が変化するファラデー回転子等のような可変旋光子１５ｃと、可変旋光子１５ｃを透過した光の光軸上に配された所定の位相差Δの波長板１５ｄとから構成するようにしてもよい。
【００５７】
そして、光磁気ディスク１からの戻り光を可変旋光子１５ｃにより旋光させ、例えば、図１３に示すように、ランド再生時に可変旋光子１５ｃから出射される偏光の偏光方向Ａ１が、位相差Δの波長板１５ｄの進相軸に平行となるようにし、グルーブ再生時に可変旋光子１５ｃから出射される偏光の偏光方向Ａ２が、位相差Δの波長板１５ｄの進相軸に直交するようにする。このように、ランド再生時とグルーブ再生時とで、可変旋光子１５ｃを用いて波長板１５ｄに入射する偏光を９０ｄｅｇ回転させることにより、等価的にΔ、−Δの位相差を作り出すことが出来る。
【００５８】
つぎに、上記光磁気ディスク１から情報信号の再生を行う本発明を適用した再生装置の実施の形態について説明する。
【００５９】
上述の可変旋光子１５ｃを用いた再生装置では、ランド６からの戻り光の偏光方向と、グルーブ５からの戻り光の偏光方向とが互いに直交するように、可変旋光子１５ｃによって戻り光を旋光させたが、本実施の形態に係る再生装置では、光磁気ディスク１に照射する光ビームを、予め偏光方向が互いに直交する２つの直線偏光に分離しておく。
【００６０】
この再生装置は、図１４に示すように、所定の波長の光ビームを出射する半導体レーザ等から構成された光源３１と、光源３１からの光ビームを平行光とするコリメータレンズ３２と、コリメータレンズ３２によって平行光とされた光ビームを互いに偏光方向が直交する２つの直線偏光に分離する偏光ビームスプリッタであるウォラストンプリズム３３と、光源３１からの光ビームと光磁気ディスク１からの戻り光とを分離するビームスプリッタ３４と、光源３１からの光ビームを光磁気ディスク１上に集光する対物レンズ３５とを備えている。
【００６１】
また、この再生装置は、光磁気ディスク１からの戻り光に所定の位相差を付与する位相子３６と、光磁気ディスク１からの戻り光にλ／２の位相差を付与する１／２波長板３７と、１／２波長板３７を透過してきた戻り光をＰ偏光成分とＳ偏光成分とに分離する偏光ビームスプリッタ３８と、偏光ビームスプリッタ３８によって分離された偏光成分のうちの一方を集光する第１の集光レンズ３９と、第１の集光レンズ３９によって集光された偏光を検出する第１の光検出器４０と、偏光ビームスプリッタ３９によって分離された偏光成分のうちの他方を集光する第２の集光レンズ４１と、第２の集光レンズ４１によって集光された偏光を検出する第２の光検出器４２とを備えている。
【００６２】
上記ウォラストンプリズム３３は、光源３１と光磁気ディスク１の間の光軸上に配され、光源３１からの光ビームを偏光状態の異なる２つの光ビームに分離する。そして、図１５に示すように、ウォラストンプリズム３３によって分離された光ビームのうち、一方の光ビームＬ１によってグルーブ５に記録された情報信号が再生され、他方の光ビームＬ２によってランド６に記録された情報信号が再生される。
【００６３】
また、位相子３６は、光磁気ディスク１からの戻り光の光軸上に配され、光磁気ディスク１からの戻り光の位相差を変化させる。この位相子３６には、例えば、位相差Δの波長板を使用し、図１６に示すように、波長板の進相軸が、ランド６に入射する光ビームの偏光方向Ｂ１に対して平行となり、グルーブ５に入射する光ビームの偏光方向Ｂ２に対して直交するように配する。これにより、上述の可変旋光子１５ｃを用いたときと同様に、ランド６からの戻り光にΔの位相差が付与され、グルーブ５からの戻り光に−Δの位相差が付与されることとなる。
【００６４】
なお、この再生装置では、光源３１からの光ビームがウォラストンプリズム３３によって分離され、一方の光ビームが光磁気ディスク１のランド６に入射し、他方の光ビームが光磁気ディスク１のグルーブ５に入射するので、ランド６からの戻り光の光軸と、グルーブ５からの戻り光の光軸とは、異なるものとなる。
【００６５】
そこで、この再生装置では、第１の光検出器４０に、ランド６からの戻り光を検出する部分と、グルーブ５からの戻り光を検出する部分と設けておき、ランド６からの戻り光と、グルーブ５からの戻り光とを独立に検出できるようにしておく。同様に、第２の光検出器４２にも、ランド６からの戻り光を検出する部分と、グルーブ５からの戻り光を検出する部分とを設けておき、ランド６からの戻り光と、グルーブ５からの戻り光とを独立に検出できるようにしておく。
【００６６】
そして、この再生装置では、第１の光検出器４０によって、ランド６からの戻り光とグルーブ５からの戻り光を同時に検出するとともに、第２の光検出器４２によって、ランド６からの戻り光とグルーブ５からの戻り光を同時に検出し、これにより、グルーブ５に記録された情報信号と、ランド６に記録された情報信号とを同時に再生する。
【００６７】
【００６８】
【００６９】
【発明の効果】
以上の説明から明らかなように、本発明によれば、ランドとグルーブの両方に情報信号の記録がなされる光磁気記録媒体のトラック間隔をより狭くしても、クロストークが少なく、良好な再生信号を得ることが出来る。
【００７０】
したがって、本発明によれば、ランドとグルーブの両方に情報信号を記録するようにした上で、トラック間隔をより狭くすることが可能となり、記録密度を大幅に増大することができる。
【図面の簡単な説明】
【図１】  本発明に用いられる光磁気ディスクの一例を示す要部断面図である。
【図２】  図１に示した光磁気ディスクのグルーブとランドを模式的に示す図である。
【図３】  図１に示した光磁気ディスクの光磁気記録膜の構成を示す図である。
【図４】  戻り光の位相差をパラメータとして、グルーブ深さとクロストークの関係を示す特性図である。
【図５】  戻り光の位相差を変化させたときに、クロストークが最小となるグルーブ深さに対する再生信号レベルを、種々のトラック間隔に対して示す特性図である。
【図６】  グルーブ深さと、再生信号レベル及びクロストークとの関係を示す特性図である。
【図７】  カー楕円率があるとき、ランド再生時におけるクロストークのグルーブ深さ依存性と、グルーブ再生時におけるクロストークのグルーブ深さ依存性とを示す特性図である。
【図８】  戻り光の位相差をパラメータとして、記録マーク長と再生信号レベルの関係を示す特性図である。
【図９】  戻り光の位相差をパラメータとして、光磁気ディスクの記録面の傾き角度とクロストークの関係を示す特性図である。
【図１０】  本発明の参考例である再生装置の構成例を示す図である。
【図１１】  可変位相子と波長板を用いた位相子の一例を示す図である。
【図１２】  可変旋光子と波長板を用いた位相子の一例を示す図である。
【図１３】  可変旋光子から出射される偏光と、波長板の光学軸との関係を示す図である。
【図１４】  本発明を適用した再生装置の構成例を示す図である。
【図１５】  図１４に示した再生装置において、ランド及びグルーブ上に集光される２つの光ビームのスポットを示す模式図である。
【図１６】  図１４に示した再生装置において、ランド及びグルーブに入射する光ビームの偏光方向と、波長板の光学軸との関係を示す図である。
【図１７】  トラック間隔をパラメータとして、グルーブ深さとクロストークの関係を示す特性図である。
【図１８】  グルーブ深さと再生信号レベルの関係を示す特性図である。
【符号の説明】
１ 光磁気ディスク、 ２ ディスク基板、 ３ 光磁気記録膜、 ４ 保護膜、 ５ グルーブ、 ６ ランド、 ７ 記録マーク、 １１ 光源、 １２コリメータレンズ、 １３ ビームスプリッタ、 １４ 対物レンズ、 １５位相子、 １５ａ 可変位相子、 １５ｂ 波長板、 １５ｃ 可変旋光子、１５ｄ 波長板、 １６ １／２波長板、 １７ 偏光ビームスプリッタ、１８ 第１の集光レンズ、 １９ 第１の光検出器、 ２０ 第２の集光レンズ、 ２１ 第２の光検出器
【図１】
0003769829.tif 000002
【図２】
0003769829.tif 000003
【図３】
0003769829.tif 000004
【図４】
0003769829.tif 000005
【図５】
0003769829.tif 000006
【図６】
0003769829.tif 000007
【図７】
0003769829.tif 000008
【図８】
0003769829.tif 000009
【図９】
0003769829.tif 000010
【図１０】
0003769829.tif 000011
【図１１】
0003769829.tif 000012
【図１２】
0003769829.tif 000013
【図１３】
0003769829.tif 000014
【図１４】
0003769829.tif 000015
【図１５】
0003769829.tif 000016
【図１６】
0003769829.tif 000017
【図１７】
0003769829.tif 000018
【図１８】
0003769829.tif 000019